【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
画像フレームを入力する入力手段と、
前記入力手段により入力される連続する第１及び第２画像フレームの間に表示されるべき補間フレームの数に関する情報を取得する取得手段と、
前記第１及び第２画像フレームの間に表示されるべき複数の補間フレームのうち、第１補間フレームの処理対象ブロックの動きベクトルを、前記第１画像フレームと前記第２画像フレームとの相関に基づいて検出する検出手段と
を有し、
前記検出手段は、前記第１補間フレームの前記処理対象ブロックの位置と前記補間フレームの数とに基づいた位置にある前記第１画像フレームの第１ブロックと前記第２画像フレームの第２ブロックに所定の相関がある場合、前記第１及び第２ブロックの位置に基づいて前記処理対象ブロックの動きベクトルを検出することを特徴とする画像処理装置。
【請求項２】
前記複数の補間フレームの中で最も先に表示されるべき前記第１補間フレームの前記処理対象ブロックと前記第１画像フレームの前記第１ブロックとの空間的な距離は、前記第１補間フレームの前記処理対象ブロックと前記第２画像フレームの前記第２ブロックとの空間的な距離よりも短いことを特徴とする請求項１に記載の画像処理装置。
【請求項３】
前記第２画像フレームが第１フレーム時刻に対応し、前記第１画像フレームが第２フレーム時刻に対応し、前記第１補間フレームが第３フレーム時刻に対応する場合、
前記検出手段は、前記第１フレーム時刻から前記第３フレーム時刻を減じた値である第１の差分値を、前記入力手段による画像フレームの入力フレームレートに基づくフレーム時間で除した値である第１の時刻比を、動き探索のための変数に乗じることで、前記第１ブロックを特定すると共に、前記第３フレーム時刻から前記第２フレーム時刻を減じた値である第２の差分値を前記フレーム時間で除した値である第２の時刻比を、前記変数に乗じることで、前記第２ブロックを特定し、
前記第１及び第２ブロックに前記所定の相関がある場合、前記変数を用いて前記処理対象ブロックの動きベクトルを算出することを特徴とする請求項１又は２に記載の画像処理装置。
【請求項４】
前記検出手段は、前記動き探索のための変数を変更することで、前記処理対象ブロックの動きベクトルの検出のために、前記第１及び第２画像フレームの複数のブロックの相関を判定し、前記相関がより高いと判定された前記第１及び第２ブロックに前記所定の相関があると判定することを特徴とする請求項３に記載の画像処理装置。
【請求項５】
前記第１及び第２画像フレームを拡大する拡大手段を有し、
前記検出手段は、前記拡大手段よる拡大後の第１及び第２画像フレームの前記第１及び第２ブロックの相関を判定することを特徴とする請求項１乃至４何れか１項に記載の画像処理装置。
【請求項６】
前記拡大手段は、前記取得手段により取得された前記補間フレームの数に関する情報に基づいて前記第１及び第２画像フレームの拡大率を決定することを特徴とする請求項５に記載の画像処理装置。
【請求項７】
前記検出手段により検出された前記動きベクトルを用いて、前記第１補間フレームの前記処理対象ブロックの画像データを生成する生成手段を有することを特徴とする請求項１乃至６何れか１項に記載の画像処理装置。
【請求項８】
画像処理装置の制御方法であって、
画像フレームを入力する入力工程と、
前記入力工程により入力される連続する第１及び第２画像フレームの間に表示されるべき補間フレームの数に関する情報を取得する取得工程と、
前記第１及び第２画像フレームの間に表示されるべき複数の補間フレームのうち、第１補間フレームの処理対象ブロックの動きベクトルを、前記第１画像フレームと前記第２画像フレームとの相関に基づいて検出する検出工程と
を含み、
前記検出工程では、前記第１補間フレームの前記処理対象ブロックの位置と前記補間フレームの数とに基づいた位置にある前記第１画像フレームの第１ブロックと前記第２画像フレームの第２ブロックに所定の相関がある場合、前記第１及び第２ブロックの位置に基づいて前記処理対象ブロックの動きベクトルを検出することを特徴とする制御方法。
【請求項９】
前記複数の補間フレームの中で最も先に表示されるべき前記第１補間フレームの前記処理対象ブロックと前記第１画像フレームの前記第１ブロックとの空間的な距離は、前記第1補間フレームの前記処理対象ブロックと前記第２画像フレームの前記第２ブロックとの空間的な距離よりも短いことを特徴とする請求項８に記載の制御方法。
【請求項１０】
前記第２画像フレームが第１フレーム時刻に対応し、前記第１画像フレームが第２フレーム時刻に対応し、前記第１補間フレームが第３フレーム時刻に対応する場合、
前記検出工程では、前記第１フレーム時刻から前記第３フレーム時刻を減じた値である第１の差分値を、前記入力工程による画像フレームの入力フレームレートに基づくフレーム時間で除した値である第１の時刻比を、動き探索のための変数に乗じることで、前記第１ブロックを特定すると共に、前記第３フレーム時刻から前記第２フレーム時刻を減じた値である第２の差分値を前記フレーム時間で除した値である第２の時刻比を、前記変数に乗じることで、前記第２ブロックを特定し、
前記第１及び第２ブロックに前記所定の相関がある場合、前記変数を用いて前記処理対象ブロックの動きベクトルを算出することを特徴とする請求項８又は９に記載の制御方法。
【請求項１１】
コンピュータを、請求項１乃至７何れか１項に記載の画像処理装置として機能させるためのプログラム。                                                        
【手続補正２】
【補正対象書類名】明細書
【補正対象項目名】発明の名称
【補正方法】変更
【補正の内容】
【発明の名称】画像処理装置、制御方法及びプログラム
【手続補正３】
【補正対象書類名】明細書
【補正対象項目名】０００７
【補正方法】変更
【補正の内容】
【０００７】
本発明の画像処理装置は、画像フレームを入力する入力手段と、前記入力手段により入力される連続する第１及び第２画像フレームの間に表示されるべき補間フレームの数に関する情報を取得する取得手段と、前記第１及び第２画像フレームの間に表示されるべき複数の補間フレームのうち、第１補間フレームの処理対象ブロックの動きベクトルを、前記第１画像フレームと前記第２画像フレームとの相関に基づいて検出する検出手段とを有し、前記検出手段は、前記第１補間フレームの前記処理対象ブロックの位置と前記補間フレームの数とに基づいた位置にある前記第１画像フレームの第１ブロックと前記第２画像フレームの第２ブロックに所定の相関がある場合、前記第１及び第２ブロックの位置に基づいて前記処理対象ブロックの動きベクトルを検出することを特徴とする。
【手続補正４】
【補正対象書類名】明細書
【補正対象項目名】００３２
【補正方法】変更
【補正の内容】
【００３２】
また、フレーム時刻ｔ＝ｔ２＝ｔ０＋Ａｎからｔ＝ｔ１＝ｔ０＋ｎのフレーム時間間隔（１−Ａ）ｎにおいては、ブロック５０１の画像情報はｘ方向にＡΔｘ１、ｙ方向にＡΔｙ１だけ移動する。ブロック５０５の画像情報が移動前に丁度ブロック５０１の位置にあったならば、探索基準位置５００の座標値（ｘ２，ｙ２）と入力画像探索位置５０４の座標値（ｘ１，ｙ１）とを用いて、（ｘ１，ｙ１）＝｛ｘ２＋（１−Ａ）Δｘ１，ｙ２＋（１−Ａ）Δｙ１｝と表すことができる。なお、上記（１−Ａ）Δｘ１、（１−Ａ）Δｙ１は、空間のずれ量を示す第１の変数である。